(57)【要約】【課題】投影するときの状況の違いにかかわらず良好な投影を行うことができる電子機器を提供する。【解決手段】画像を投影面に向けて投影するプロジェクタユニット１２０の使用状況に応じて定められた複数のモードに対応する投影のパラメータを不揮発性メモリ１１０に記憶し、プロジェクタユニット１２０で投影するとき、ロータリスイッチで選択されたモードに対応するパラメータの値に基づいて画像の投影を行うようにした。【選択図】図３
2010181511.tif 000002
【特許請求の範囲】
【請求項１】
画像を投影面に向けて投影するプロジェクタユニットと、
前記プロジェクタユニットの使用状況に応じて定められた複数のモードに対応する投影のパラメータの値が記憶されたテーブルを格納する記憶手段と、
前記プロジェクタユニットで投影するとき、前記複数のモードのうちから１つのモードを選択するモード選択手段と、
前記モード選択手段によって前記１つのモードが選択されたとき、前記テーブルに基づいて、その１つのモードに対応する前記パラメータの値を設定する制御手段と
を備えていることを特徴とする電子機器。
【請求項２】
１  被写体像を取得する撮像ユニットを備えていることを特徴とする請求項１記載の電子機器。
【請求項３】
前記複数のモードには動画モードと静止画モードとが含まれていることを特徴とする請求項１又は２記載の電子機器。
【請求項４】
前記静止画モードには複数の使用モードが含まれていることを特徴とする請求項３記載の電子機器。
【請求項５】
前記パラメータの種類として、少なくとも光量、音量が含まれていることを特徴とする請求項１〜４のいずれか１項記載の電子機器。
【請求項６】
前記複数の使用モードの内の少なくとも１つのモードでは、前記パラメータの値を個別に設定可能としたことを特徴とする請求項１〜５のいずれか１項記載の電子機器。
【請求項７】
前記パラメータの種類として、少なくとも音声出力がステレオ出力であるか、モノラル出力であるか、が含まれていることを特徴とする請求項１〜６のいずれか１項記載の電子機器。
【発明の詳細な説明】
【技術分野】
【０００１】
この発明は電子機器に関する。
【背景技術】
【０００２】
従来、投影手段を備えたカメラが知られている（下記公報参照）。
【先行技術文献】
【特許文献】
【０００３】
【特許文献１】特開２００５−２５０３９２号公報
【発明の概要】
【発明が解決しようとする課題】
【０００４】
上記カメラの投影手段で画像を投影するとき、その場の状況に応じて光量、音量等の各種の投影パラメータの変更ができないため、良好な投影ができないことがある。
【０００５】
この発明はこのような事情に鑑みてなされたもので、その課題は、投影するときの状況の違いにかかわらず良好な投影を行うことができる電子機器を提供することである。
【課題を解決するための手段】
【０００６】
上記課題を解決するため請求項１記載の発明は、画像を投影面に向けて投影するプロジェクタユニットと、前記プロジェクタユニットの使用状況に応じて定められた複数のモードに対応する投影のパラメータの値が記憶されたテーブルを格納する記憶手段と、前記プロジェクタユニットで投影するとき、前記複数のモードのうちから１つのモードを選択するモード選択手段と、前記モード選択手段によって前記１つのモードが選択されたとき、前記テーブルに基づいて、その１つのモードに対応する前記パラメータの値を設定する制御手段とを備えていることを特徴とする。
【０００７】
請求項２に記載の発明は、請求項１記載の電子機器において、被写体像を取得する撮像ユニットを備えていることを特徴とする。
【０００８】
請求項３に記載の発明は、請求項１又は２記載の電子機器において、前記複数のモードには動画モードと静止画モードとが含まれていることを特徴とする。
【０００９】
請求項４に記載の発明は、請求項３記載の電子機器において、前記静止画モードには複数の使用モードが含まれていることを特徴とする。
【００１０】
請求項５に記載の発明は、請求項１〜４のいずれか１項記載の電子機器において、前記パラメータの種類として、少なくとも光量、音量が含まれていることを特徴とする。
【００１１】
請求項６に記載の発明は、請求項１〜５のいずれか１項記載の電子機器において、前記複数の使用モードの内の少なくとも１つのモードでは、前記パラメータの値を個別に設定可能としたことを特徴とする。
【００１２】
請求項７に記載の発明は、請求項１〜６のいずれか１項記載の電子機器において、前記パラメータの種類として、少なくとも音声出力がステレオ出力であるか、モノラル出力であるか、が含まれていることを特徴とする。
【発明の効果】
【００１３】
この発明によれば、投影するときの状況の違いにかかわらず良好な投影を行うことができる。
【図面の簡単な説明】
【００１４】
【図１】図１はカメラ２の斜視図である。
【図２】図２はカメラ２の背面図である。
【図３】図３はこの発明の一実施形態に係るカメラ２のブロック図である。
【図４】図４はプロジェクタモードにおけるモード選択の動作を説明するフローチャートである。
【図５】図５はモード選択画面を示す図である。
【図６】図６は詳細モード選択画面を示す図である。
【図７】図７（ａ），（ｂ）はテーブルの一例を示す図である。
【図８】図８（ａ），（ｂ）はＢＧＭ選択画面を示す図である。
【図９】図９（ａ），（ｂ）はカスタム設定画面を示す図である。
【発明を実施するための形態】
【００１５】
以下、この発明の実施の形態を図面に基づいて説明する。
【００１６】
図３はこの発明の一実施形態に係るカメラ２のブロック図である。
【００１７】
カメラ（電子機器）２は制御部１００と撮像ユニット１３０とプロジェクタユニット１２０とを備えている。
【００１８】
制御部１００は、ＣＰＵ（制御手段）１０１とメモリ１０２と操作部材１０３と液晶表示器２２と一対のスピーカ（音声出力手段）２５と外部インタフェース１０６と電源回路１０７とマイク１０９とメモリカード２００とを備えている。電源回路１０７には電池１０８が接続されている。
【００１９】
プロジェクタユニット１２０は投影光学系１２１と液晶パネル１２２とＬＥＤ光源１２３と投影制御回路１２４とレンズ駆動回路１２５とを備えている。
【００２０】
撮像ユニット１３０は撮像光学系１３１とＣＣＤやＣＭＯＳ等の撮像素子１３２と撮像制御回路１３３とレンズ駆動回路１３４とを備えている。
【００２１】
ＣＰＵ１０１は、制御プログラムに基づいて、プロジェクタユニット１２０からの信号を入力して所定の演算を行い、演算結果に基づいてプロジェクタユニット１２０に制御信号を出力してプロジェクタユニット１２０の投影動作を制御する。画像を投影するとき、ＣＰＵ１０１は２つのスピーカ２５から音声をステレオで出力させることができる。
【００２２】
ＣＰＵ１０１は、プロジェクタユニット１２０で投影するとき、予めテーブル（図７（ａ）、（ｂ）参照）に記憶された光量等の投影パラメータに基づいて投影を制御する。テーブルは例えばＣＰＵ１０１内の不揮発性メモリ（記憶手段）１１０に記憶される。
【００２３】
また、ＣＰＵ１０１は、制御プログラムに基づいて、撮像ユニット１３０からの信号を入力して所定の演算を行い、撮像ユニット１３０に制御信号を出力して撮像ユニット１３０の撮影動作を制御する。
【００２４】
なお、制御プログラムは不揮発性メモリ１１０に記憶されている。
【００２５】
メモリ１０２はＣＰＵ１０１の作業領域として使用される。操作部材１０３は操作に対応する信号をＣＰＵ１０１に出力する。
【００２６】
メモリカード２００は不揮発性メモリによって構成され、制御部１００のカードスロット（図示せず）に装着可能な記憶媒体である。なお、メモリカード２００には、撮像した画像データや、他の機器から取り込んだ画像その他のデータが記憶されている。
【００２７】
外部インタフェース１０６は、ＣＰＵ１０１からの指令によりケーブル（図示せず）を介して外部機器（図示せず）との間でデータの送受信を行う。データは映像・音声データである。
【００２８】
スピーカ２５はＣＰＵ１０１から音声信号を入力して音声を再生する。なお、音量の変更はＣＰＵ１０１からの指令により音声信号を調整することにより行われる。マイク１０９はＣＰＵ１０１からの指令に基づいて外部の音を取得する。液晶表示器２２はＣＰＵ１０１の指令により画像（スルー画含む）、メニュー画面等を表示する。
【００２９】
電池１０８はプロジェクタユニット１２０、撮像ユニット１３０に電力を供給する。電源回路１０７は、ＤＣ/ＤＣ変換回路、充電回路及び電圧検出回路を有する。
【００３０】
投影制御回路１２４は、ＣＰＵ１０１からの指令により液晶パネル１２２、ＬＥＤ光源１２３及びレンズ駆動回路１２５をそれぞれ制御する。投影制御回路１２４は、ＣＰＵ１０１からの指令により電池１０８からＬＥＤ光源１２３に電流を供給する。ＬＥＤ光源１２３は供給電流に応じた明るさで液晶パネル１２２を照明する。なお、光量の変更はＣＰＵ１０１からの指令により投影制御回路１２４を制御してＬＥＤ光源１２３に供給する電流値を変えることにより行われる。また、コントラストの変更はＣＰＵ１０１からの指令により図示しない画像処理回路で行われる。
【００３１】
投影制御回路１２４は、ＣＰＵ１０１から送られる画像データに応じて液晶パネル駆動電流を生成し、生成した駆動電流で液晶パネル１２２を駆動する。
【００３２】
レンズ駆動回路１２５は、投影制御回路１２４からの制御信号に基づいて、投影光学系１２１を光軸方向へ移動させる。投影光学系１２１は液晶パネル１２２から射出される画像をプロジェクタ投影窓１０（図１参照）を介して拡大投影する。
【００３３】
撮像制御回路１３３は、ＣＰＵ１０１からの指令により撮像素子１３２及びレンズ駆動回路１３４をそれぞれ制御するとともに、撮像素子１３２から出力される撮像信号に対して所定の画像処理を行う。画像処理は例えばホワイトバランス処理である。撮像光学系１３１は撮像素子１３１の受光面上に被写体像を結像させる。撮像制御回路１３３は、ＣＰＵ１０１からの指令により撮像素子１３２による撮像を開始させ、撮像終了後に撮像素子１３２から撮像信号を入力して画像処理を施し、画像データとして制御部１００に出力する。
【００３４】
レンズ駆動回路１３４は撮像制御回路１３３から出力されるズーム調節信号に基づいて撮像光学系１３１を光軸方向へ駆動する。
【００３５】
図１は図３に示すカメラ２の斜視図である。
【００３６】
カメラ２の筐体３は、アルミニウム板等からなる前カバー４及び後カバー６と、側面カバー７で構成されている。
【００３７】
前カバー４には、撮影窓８とプロジェクタ投影窓１０とフラッシュ光が射出されるフラッシュ窓１２とが設けられている。
【００３８】
また、筐体３の上面には、電源スイッチ１４と、レリーズ動作を指示するシャッタボタン１６と、カメラ撮影を行う撮影モードとプロジェクタ投影を行うプロジェクタモードとを切り替えるモード切替ボタン１８と、プロジェクタ投影時の投影画像のピント調整を行うための操作レバーであるプロジェクタフォーカスレバー２０とが設けられている。電源スイッチ１４、シャッタボタン１６、モード切替ボタン１８、プロジェクタフォーカスレバー２０及び操作ボタン２４で図３に示す操作部材１０３が構成される。
【００３９】
図２はカメラ２の背面図である。
【００４０】
後カバー６には、液晶表示器２２と、液晶表示器２２に表示された操作メニュー等を選択するマルチセレクタ等を備える操作ボタン２４と、再生モード又はプロジェクタモード時に音声を出力するスピーカ２５とが設けられている。スピーカ２５は後カバー６の左右に配置されている。なお、操作ボタン２４の一部を構成するロータリスイッチ２４Ｂは十字キー（図示せず）でもよい。
【００４１】
次に、プロジェクタモードにおけるモード選択の動作を図４〜図９に基づいて説明する。
【００４２】
図４はプロジェクタモードにおけるモード選択の動作を説明するフローチャート、図５はモード選択画面を示す図、図６は詳細モード選択画面を示す図、図７（ａ），（ｂ）はテーブルの一例を示す図、図８（ａ），（ｂ）はＢＧＭ選択画面を示す図、図９（ａ），（ｂ）はカスタム設定画面を示す図である。図４においてＳ１〜Ｓ１４は処理の各ステップを示す。なお、図５、図６、図８（ａ），（ｂ）、図９（ａ），（ｂ）においてはスピーカ２５は図示されていない。
【００４３】
まず、モード切替ボタン１８を操作して撮影モードからプロジェクタモード（ＰＪモード）にモードを切り替える（Ｓ１）。
【００４４】
プロジェクタモード（ＰＪモード）に切り替えられると、ＣＰＵ１０１は前回プロジェクタをオフにした時に選択されていたモードで起動する（Ｓ２）。
【００４５】
次に、ユーザがモードを切り替えるか否かを判断する（Ｓ３）。モードを切り替えないとき（ＮＯ）、処理を終了する。
【００４６】
モードを切り替えるとき（ＹＥＳ）、ＭＯＤＥボタン２４Ａ（図２参照）を押す（Ｓ４）。
【００４７】
ＭＯＤＥボタン２４Ａが押されると、図５に示すモード選択画面が表示される（Ｓ５）。
【００４８】
モードには、例えばオートモード（オート）、動画モード（動画）、カスタムモード（カスタム）及び詳細モード（モード詳細）がある（図５参照）。ロータリスイッチ２４Ｂ（モード選択手段）を用いてカーソルを選択すべきモード（図５はオートモードが選択されている）に合わせ、ＯＫボタン２４Ｃを押す。その結果、特定のモードの選択が確定する。
【００４９】
その後、動画モードが選択されたか否かを判断する（Ｓ６）。
【００５０】
動画モードが選択されているとき（ＹＥＳ）、動画モードが確定し（Ｓ７）、処理が終了する。その後、図７（ａ）又は図７（ｂ）のテーブルの中の動画モードに対応する投影のパラメータで投影が行われる。
【００５１】
動画モードが選択されていないとき（ＮＯ）、オートモードが選択されているか否かを判断する（Ｓ８）。
【００５２】
オートモードが選択されているとき（ＹＥＳ）、ＢＧＭを選択するか否かを判断する（Ｓ９）。ＢＧＭを選択しないとき（ＮＯ）、ステップＳ７へ進む。ステップＳ７でモードが確定した後にプロジェクタユニット１２０により画像が投影される。
【００５３】
その後、ステップＳ７へ進む。プロジェクタユニット１２０により画像を投影したとき、テーブルの値の通りに出力され、同時にステップ１０で確定した音楽がＢＧＭとして出力される。
【００５４】
ステップＳ８で、オートモードが選択されていないとき（ＮＯ）、詳細モードが選択されているか否かを判断する（Ｓ１１）。
【００５５】
詳細モードが選択されているとき（ＹＥＳ）、図６に示す詳細モード選択画面が表示される。詳細モードには、明るい室内モード、暗い室内モード、日中屋外モード、夜間屋外モード、プレゼンモードがある。
【００５６】
ロータリスイッチ２４Ｂを用いて該当するモードにカーソルを合わせ、ＯＫボタン２４Ｃを押すと、詳細モード（図６では明るい室内モード）の選択が確定する（Ｓ１２）。その後、ステップＳ９へ進む。
【００５７】
詳細モードが選択されていないとき、カスタムモードが選択されているか否かを判断する（Ｓ１３）。カスタムモードが選択されていないとき（ＮＯ）、ステップＳ２へ戻る。
【００５８】
カスタムモードが選択されているとき（ＹＥＳ）、図９（ａ）又は図９（ｂ）に示すカスタムモード画面が表示される。図９（ａ）に示すカスタムモード画面には音量、光量、コントラストの項目がカスタムモードとして表示されている。図９（ｂ）に示すカスタムモード画面には音量、光量、コントラスト及び音声出力選択（ステレオ/モノラル）がカスタムモードとして表示されている。音量は“大”、“中”、“小”、“０”の４段階の中から、光量は“大”、“中”、“小”の３段階の中から、コントラストは“高”、“中”、“低”の３段階の中からそれぞれいずれかを選択し、音声出力選択はステレオかモノラルかを選択する。図９（ａ）に示すカスタム画面では音量“大”、光量“中”、コントラスト“中”が選択され、図９（ｂ）に示すカスタム画面では音量“大”、光量“中”、コントラスト“中”、音声出力“ステレオ”が選択されている。
【００５９】
ロータリスイッチ２４Ｂを用いて該当する項目にカーソルを合わせて、ＯＫボタン２４Ｃを押すとカスタム設定が確定する（Ｓ１４）。すなわち、ユーザは上記のように、カスタムモード画面を見ながら好みに応じた音量、光量、コントラストを設定することができる。その後、ステップＳ９へ進む。なお、図示しないが、音量を０に設定したときには、ステップ９，１０を介さずにステップＳ７へ進む。なお、例えば光量や音量を“大”、“中”、“小”のように文字を表示するのではなく、グラフィック表示としてもよい。この場合、無段階の調節が可能である。
【００６０】
図７（ａ），（ｂ）に示されたテーブルには選択されるモード（動画モード及び静止画モード（動画モード以外のモード））とパラメータとの関係が示されている。図７（ａ）には光量、音量、コントラスト、ＢＧＭの選択可否がパラメータとして表示されている。また、図７（ｂ）には光量、音量、コントラスト、ＢＧＭの選択可否、ステレオ出力の有無がパラメータとして表示されている。図７（ｂ）のテーブルでは、オート、動画及び室内モードでステレオ出力となり、屋外モードでモノラル出力となり、プレゼンモードで音声無しになることがわかる。なお、図７（ａ），（ｂ）のいずれのテーブルも、動画及びプレゼンモードでＢＧＭが選択できないことがわかる。
【００６１】
例えば、図７（ｂ）に示すテーブルの場合には、プロジェクタユニット１２０により映画等の動画を投影したとき、音声がステレオ出力され、ＢＧＭが出力されない。
【００６２】
ユーザがＢＧＭを選択したとき（ＹＥＳ）、図８に示すＢＧＭ選択画面が表示される。ユーザはＢＧＭ選択画面の中から好みのＢＧＭを選択する。ユーザは、予め内蔵されたＢＧＭの他にユーザがＰＣからダウンロードした音楽（ユーザ音楽１〜４）を選択することもできる。また、ハイスピード、モーション、アップテンポ、ナチュラル、リラックスの中から好みの音楽を選択することができる。更に、再生方法を選択することができる。ロータリスイッチ２４Ｂを用いてカーソルを好みの音楽（図８ではアップテンポ）に合わせ、ＯＫボタン２４Ｃを押す。その結果、好みのＢＧＭ（アップテンポな音楽）の選択が確定する（Ｓ１０）。なお、白抜き矢印をポインティングデバイスで選択することで図８（ａ）と図８（ｂ）とを切り替えることができる。
【００６３】
この実施形態によれば、投影するときの状況に応じて光量、音量等の各種のパラメータの値が変更されるため、良好な投影をすることができる。例えば映画を再生するときにステレオ音声出力としたり、写真をスライドショーで投影するときにＢＧＭを出力したりすることで音響効果を高めることができる。
【００６４】
なお、撮像ユニット１３０による撮影の際には、音声をモノラルで出力してもよい。また、撮影時と投影時とで自動的にステレオとモノラルとを切り替えることができるようにし、撮像ユニット１３０による撮影の際には、自動的に音声をモノラル出力にするのが好ましい。
【符号の説明】
【００６５】
２： カメラ（電子機器）、２４Ｂ：ロータリスイッチ（モード選択手段）、２５：スピーカ（音声出力手段）、１０１：ＣＰＵ（制御手段）、１１０：不揮発性メモリ（記憶手段）、１２０：プロジェクタユニット、１３０：撮像ユニット。
【図１】
2010181511.tif 000003
【図２】
2010181511.tif 000004
【図３】
2010181511.tif 000005
【図４】
2010181511.tif 000006
【図５】
2010181511.tif 000007
【図６】
2010181511.tif 000008
【図７】
2010181511.tif 000009
【図８】
2010181511.tif 000010
【図９】
2010181511.tif 000011